(57)【要約】      （修正有）【課題】展示棚全体の体積を変更することができ、運搬及び収納が便利となる展示棚用の折畳式支持構造を提供する。【解決手段】互いに対向する二つの側壁と、二つの側壁の間に位置する収容空間を含む展示棚に組み付けられている折畳式支持構造において、収容空間内に設けられている底板１と、底板に枢着され、底板に対して回動可能な連接板２と、側壁のうちの一方に連接され、連接板に枢着されており、連接板に対して回動可能な第１連接部３１と、底板に連接され、第１連接部に枢着されている第１屈折部と、を含む第１連動具３と、側壁のうちの他方に連接され、連接板に枢着されており、連接板に対して回動可能な第２連接部４１と、底板に連接され、第２連接部に枢着されている第２屈折部４２と、を含む第２連動具４と、を含む。【選択図】図３
0003188454.tif 000002
【実用新案登録請求の範囲】
【請求項１】
展示棚に組み付けられており、前記展示棚は、互いに対向する二つの側壁と、前記二つの側壁の間に位置する収容空間と、を含む折畳式支持構造において、
前記収容空間内に設けられている底板と、
前記底板に枢着されており、前記底板に対して回動可能な連接板と、
前記側壁のうちの一方に連接されており、前記連接板に枢着され、前記連接板に対して回動可能な第１連接部と、前記底板に連接されており、前記第１連接部に枢着されている第１屈折部と、を含み、前記第１屈折部は第１折り線を有し、前記第１折り線により、前記底板に固定されている第１固定段と、前記第１連接部に枢着されており、曲がって前記第１固定段に当接している第１曲がり段と、が分けられる第１連動具と、
前記側壁のうちの他方に連接されており、前記連接板に枢着され、前記連接板に対して回動可能な第２連接部と、前記底板に枢着されており、前記第２連接部に連接されている第２屈折部と、を含み、前記第２屈折部は第２折り線を有し、前記第２折り線により、前記第２連接部に固定されている第２固定段と、前記底板に枢着されており、曲がって前記第２固定段に当接している第２曲がり段と、が分けられる第２連動具と、
を含み、
前記第１連接部と前記第２連接部とを同時に一方向に回動して、前記第１曲がり段が連動されて前記第１固定段に当接し、前記第２曲がり段が連動されて前記第２固定段に当接する折畳状態と、
前記第１連接部と前記第２連接部とを同時に他方向に回動して、前記第１曲がり段が連動されて前記底板に当接し、前記第２曲がり段が連動されて前記第２連接部に当接し、前記底板、前記連接板、前記第１連動具及び前記第２連動具から、受け空間が形成される展開状態と、
を有することを特徴とする折畳式支持構造。
【請求項２】
前記第２連接部はラグを有し、前記側壁には、前記ラグの挿入に対応する挿入口が設けられていることを特徴とする、請求項１に記載の折畳式支持構造。
【請求項３】
前記第１連接部は、前記側壁に面しており前記側壁に粘着する第１面と、前記第１面の反対側に位置しており前記受け空間に面している第２面と、を有することを特徴とする、請求項１に記載の折畳式支持構造。
【請求項４】
その材質は、紙、又は樹脂を採用することを特徴とする、請求項１に記載の折畳式支持構造。
【考案の詳細な説明】
【技術分野】
【０００１】
本考案は、展示棚用の支持構造に関し、特に、展示棚用の折畳式支持構造に関するものである。
【背景技術】
【０００２】
展示会場、スーパーマーケット及びコンビニエンスストアには、商品を展示するための展示棚が広汎に利用されている。宣伝効果を良くするために、展示棚には、広告やスローガンが印刷されている。従来の展示棚は、木材又は金属で作製され、螺子又は溶接などの方式によって組み付けられる。このような展示棚は、耐用性が良く、より重いものを載せることが可能であるが、生産コストが高く、全体の重量が重すぎるため、運搬及び収納が極めて不便であり、そして使用状態によって折畳むことができないため、使用する場合には、かなりのスペースが必要となる。
【０００３】
上記の問題を解決するために、紙材又は樹脂材を採用する展示棚が開発される。紙材を採用する展示棚は、リサイクルすることが可能であるため、地球環境に優しい。しかし、紙材を採用する従来の展示棚は、展示空間を複数に仕切って仕切板を置くことが可能な支持構造として係合構造を採用しており、重量を減少することが可能であるが、全体の体積を変更することができないため、運搬及び収納が極めて不便であり、使用する場合には、かなりのスペースが必要という問題があった。
【考案の概要】
【考案が解決しようとする課題】
【０００４】
本考案の主な目的は、展示棚用の支持構造が折畳方式を採用し、展示棚全体の体積を変更することが可能となり、運搬及び収納が便利となる折畳式支持構造を提供することにある。
【課題を解決するための手段】
【０００５】
本考案の折畳式支持構造によると、展示棚に組み付けられており、展示棚は、互いに対向する二つの側壁と、二つの側壁の間に位置する収容空間と、を含む折畳式支持構造において、収容空間内に設けられている底板と、底板に枢着されており、底板に対して回動可能な連接板と、側壁のうちの一方に連接され、連接板に枢着されており、連接板に対して回動可能な第１連接部と、底板に連接されており、第１連接部に枢着されている第１屈折部と、を含み、第１屈折部は第１折り線を有し、第１折り線により、底板に固定されている第１固定段と、第１連接部に枢着されており、曲がって第１固定段に当接している第１曲がり段と、が分けられる第１連動具と、側壁のうちの他方に連接され、連接板に枢着されており、連接板に対して回動可能な第２連接部と、底板に枢着されており、第２連接部に連接されている第２屈折部と、を含み、第２屈折部は第２折り線を有し、第２折り線により、第２連接部に固定されている第２固定段と、底板に枢着されており、曲がって第２固定段に当接している第２曲がり段と、が分けられる第２連動具と、を含み、第１連接部と第２連接部とを同時に一方向に回動して、第１曲がり段が連動されて第１固定段に当接し、第２曲がり段が連動されて第２固定段に当接する折畳状態と、第１連接部と第２連接部とを同時に他方向に回動して、第１曲がり段が連動されて底板に当接し、第２曲がり段が連動されて第２連接部に当接し、底板、連接板、第１連動具及び第２連動具から、受け空間が形成される展開状態と、を有することを特徴とする。
【０００６】
本考案の折畳式支持構造によると、第２連接部はラグを有し、側壁には、ラグの挿入に対応する挿入口が設けられていることを特徴とする。
【０００７】
本考案の折畳式支持構造によると、第１連接部は、側壁に面しており側壁に粘着する第１面と、第１面の反対側に位置しており受け空間に面している第２面と、を有することを特徴とする。
【０００８】
本考案の折畳式支持構造によると、その材質は、紙、又は樹脂を採用することを特徴とする。
【考案の効果】
【０００９】
本考案の折畳式支持構造によれば、展示棚用の支持構造が折畳方式を採用し、展示棚全体の体積を変更することが可能となり、運搬及び収納が便利となるという効果を有する。
【図面の簡単な説明】
【００１０】
【図１】本考案の実施例１の使用状態を示す模式図である。
【図２】本考案の実施例１の折畳状態を示す模式図である。
【図３】本考案の実施例１の展開動作を示す模式図である。
【図４】本考案の実施例１の展開状態を示す模式図である。
【図５】本考案の実施例２の使用状態を示す模式図である。
【考案を実施するための形態】
【００１１】
以下、本考案の実施の形態を図面に基づいて説明する。
図１から図４を参照する。図１は本考案の実施例１の使用状態を示す模式図であり、図２は本考案の実施例１の折畳状態を示す模式図であり、図３は本考案の実施例１の展開動作を示す模式図であり、図４は本考案の実施例１の展開状態を示す模式図である。本実施例の折畳式支持構造１０４は、展示棚１００に組み付けられている。展示棚１００は、互いに対向する側壁１０１、１０２と、側壁１０１、１０２の間に位置する収容空間１０３と、を含む。収容空間１０３の内部には、少なくとも一つの折畳式支持構造１０４を収容することが可能である。折畳式支持構造１０４の上に仕切板１０５が配されている。仕切板１０５に商品を置いて展示することが可能である。折畳式支持構造１０４の材質は、紙、又は樹脂を採用する。折畳式支持構造１０４は、収容空間１０５内に設けられている底板１と、底板１に枢着されており、底板１に対して回動可能な連接板２と、それぞれ連接板２の両端に枢着されている、第１連動具３と、第２連動具４と、を含む。第１連動具３は、側壁１０１に連接され、連接板２に枢着されている。第１連動具３は、連接板２に対して回動可能な第１連接部３１と、底板１に連接されており、第１連接部３１に枢着されている第１屈折部３２と、を含む。第１屈折部３２は第１折り線３２１を有する。第１折り線３２１により、底板１に固定されている第１固定段３２２と、第１連接部３１に枢着されており、曲がった状態で第１固定段３２２に当接される第１曲がり段３２３と、が分けられる。第２連動具４は、側壁１０２に連接され、連接板２に枢着されており、連接板２に対して回動可能な第２連接部４１と、底板１に枢着されており、第２連接部４１に連接されている第２屈折部４２と、を含む。第２屈折部４２は第２折り線４２１を有する。第２折り線４２１により、第２連接部４１に固定されている第２固定段４２２と、底板１に枢着されており、曲がった状態で第２固定段４２２に当接される第２曲がり段４２３と、が分けられる。
【００１２】
図２及び図３に示すように、本実施例の折畳式支持構造１０４は折畳状態を有する。折畳式支持構造１０４を折り畳みたいときには、第１連接部３１と第２連接部４１とを同時に一方向に回動する。第１連接部３１により、第１曲がり段３２３が連動されて第１折り線３２１に沿って第１固定段３２２側へ折られると同時に、第１曲がり段３２３は、第１固定段３２２に当接するまで、第１連接部３１に対して回動する。また、第２連接部４１により、第２固定段４２２が連動されて第２折り線４２１に沿って第２固定段４２２側へ折られると同時に、第２曲がり段４２３は、第２固定段４２２に当接するまで、底板１に対して回動する。このとき、底板１は、第１曲がり段３２３と第２曲がり段４２３とに連動されて、連接板２側へ回動して連接板２に当接する。このように、折畳式支持構造１０４は扁平状の構造となる。
【００１３】
図３及び図４に示すように、本実施例の折畳式支持構造１０４は展開状態を有する。折畳式支持構造１０４を展開したいときには、底板１を連接板２から離れる方向に回動させる。これにより、第１連接部３１と第２連接部４１とが連動されて同時に他方向に回動して、第１連接部３１により、第１曲がり段３２３が連動されて第１折り線３２１に沿って底板１側へ折られる。これと同時に、第１曲がり段３２３は、第１固定段３２２から離れ、底板１に当接する。また、第２曲がり段４２３は、底板１に引かれて回動し、第２折り線４２１に沿って第２固定段４２２から離れて、第２連接部４１に当接するまで、第２連接部４１側へ回動する。このように、底板１、連接板２、第１連動具３及び第２連動具４により、受け空間５が形成される。受け空間５に仕切板１０５を置くことが可能である。
【００１４】
本実施例では、第１連接部３１は、側壁１０１に面しており側壁１０１に粘着する第１面３１１と、第１面３１１の反対側に位置しており、受け空間５に面している第２面３１２と、を有する。第２連接部４１はラグ４１１を有する。図１に示すように、側壁１０２には、ラグ４１１の挿入に対応する挿入口１０６が設けられている。挿入口１０６にラグ４１１を挿入することにより、第２連動具４は側壁１０２と結合することが可能である。もちろん、本考案はこれらに限定されない。折畳式支持構造１０４と展示棚１００の結合方式は、粘着、係合、差込、又は嵌合などの方式を採用してもよい。図５は本考案の実施例２の使用状態を示す模式図であり、側壁１０１、１０２は、互いに平行するように設けられる他、図５に示すように設けられてもよい。すなわち、第１連動具３及び第２連動具４の形状と、第１折り線３２１及び第２折り線４２１の位置と、を調整することにより、展示棚１００の側壁１０１、１０２の開角を変更することが可能である。
【００１５】
第１連動具３と第２連動具４により、折畳式支持構造１０４を折畳んで扁平状にすることが可能であるため、収納体積を減少することが可能である。折畳式支持構造１０４は、折畳み可能な展示棚１００と結合することも可能である。すなわち、展示棚１００に第１連動具３と第２連動具４を結合すると、収納したいときには、折畳式支持構造１０４と共に展示棚１００を折畳むことにより、必要な収納スペースを大幅に減少することが可能であり、なお、利用したいときには、展示棚１００を展開することにより、折畳式支持構造１０４が展開されるため、利用が極めて便利である。
【産業上の利用可能性】
【００１６】
本考案は、折畳式支持構造に適用することができる。
【符号の説明】
【００１７】
１  底板
２  連接板
３  第１連動具
４  第２連動具
５  受け空間
３１  第１連接部
３２  第１屈折部
４１  第２連接部
４２  第２屈折部
１００  展示棚
１０１  側壁
１０２  側壁
１０３  収容空間
１０４  折畳式支持構造
１０５  仕切板
１０６  挿入口
３１１  第１面
３１２  第２面
３２１  第１折り線
３２２  第１固定段
３２３  第１曲がり段
４１１  ラグ
４２１  第２折り線
４２２  第２固定段
４２３  第２曲がり段
【図１】
0003188454.tif 000003
【図２】
0003188454.tif 000004
【図３】
0003188454.tif 000005
【図４】
0003188454.tif 000006
【図５】
0003188454.tif 000007